(57)【特許請求の範囲】
【請求項１】
第１体積を有する第１揮散剤を収容する容器本体と、
前記容器本体に収容された前記第１揮散剤よりも上方に配置され、通気性を有する通気性部材と、
上下方向において前記容器本体に収容された前記第１揮散剤と前記通気性部材との間に配置された収容部材であって、前記第１揮散剤とは異なり、且つ前記第１体積よりも小さい第２体積を有する第２揮散剤を収容する収容部と、通気性を有する通気部と、を含む収容部材と、
を備え、
前記収容部は、前記容器本体に収容される前記第１揮散剤よりも低い塩素濃度を有する前記第２揮散剤を収容する、揮散剤容器。
【請求項２】
第１体積を有する第１揮散剤を収容する容器本体と、
前記容器本体に収容された前記第１揮散剤よりも上方に配置され、通気性を有する通気性部材と、
上下方向において前記容器本体に収容された前記第１揮散剤と前記通気性部材との間に配置された収容部材であって、前記第１揮散剤とは異なり、且つ前記第１体積よりも小さい第２体積を有する第２揮散剤を収容する収容部と、通気性を有する通気部と、を含む収容部材と、
を備え、
前記収容部は、平面視における前記収容部材の外縁に沿って延びる細長形状を有する、揮散剤容器。
【請求項３】
前記容器本体は、塩素又は塩素化合物を含む前記第１揮散剤を収容し、
前記収容部は、香料を含む前記第２揮散剤を収容する、請求項１又は２に記載の揮散剤容器。
【請求項４】
前記容器本体は、二酸化塩素又は次亜塩素酸の少なくともいずれか一方を含む第１揮散剤を収容する、請求項３に記載の揮散剤容器。
【請求項５】
前記収容部は、平面視における前記収容部材の中心に位置し、
前記通気部は、前記収容部の周囲に位置する、請求項１から４のいずれか１項に記載の揮散剤容器。
【発明の詳細な説明】
【技術分野】
【０００１】
本発明は、揮散剤を収容する揮散剤容器に関する。
【背景技術】
【０００２】
従来、除菌、消臭などの機能を有する揮散剤を、揮散剤が外気に通気した状態で収容する揮散剤容器が知られている。例えば特許文献１は、揮散剤を収容する容器本体と、容器本体の上方に配置され、複数の通気孔が形成されたキャップと、を備えた揮散剤容器を開示している。揮散剤から揮散した揮散成分は、通気孔を通って揮散剤容器の外部へ至る。
【先行技術文献】
【特許文献】
【０００３】
【特許文献１】特開２０１０−１１８８８号公報
【発明の概要】
【発明が解決しようとする課題】
【０００４】
揮散剤は、特有の臭いを有することがある。例えば塩素又は塩素化合物は、除菌性、消臭性などの有用な作用を有する反面、刺激臭を有する。消費者がこのような刺激臭などを強く知覚すると、消費者に不快感を与えてしまう。
【０００５】
そこで、本発明はこれらの点に鑑みてなされたものであり、特定の揮散剤の臭いが目立たないようにすることができる揮散剤容器を提供することを目的とする。
【課題を解決するための手段】
【０００６】
本発明は、第１体積を有する第１揮散剤を収容する容器本体と、前記容器本体に収容された前記第１揮散剤よりも上方に配置され、通気性を有する通気性部材と、上下方向において前記容器本体に収容された前記第１揮散剤と前記通気性部材との間に配置された収容部材であって、前記第１揮散剤とは異なり、且つ前記第１体積よりも小さい第２体積を有する第２揮散剤を収容する収容部と、通気性を有する通気部と、を含む収容部材と、を備える、揮散剤容器を提供する。
【０００７】
前記収容部は、前記容器本体に収容される前記第１揮散剤よりも低い塩素濃度を有する前記第２揮散剤を収容してもよい。例えば、前記容器本体は、塩素又は塩素化合物を含む前記第１揮散剤を収容し、前記収容部は、香料を含む前記第２揮散剤を収容してもよい。具体的には、前記容器本体は、二酸化塩素又は次亜塩素酸の少なくともいずれか一方を含む第１揮散剤を収容してもよい。
【０００８】
前記収容部は、平面視における前記収容部材の中心に位置し、前記通気部は、前記収容部の周囲に位置していてもよい。
【０００９】
前記収容部は、平面視における前記収容部材の外縁に沿って延びる細長形状を有していてもよい。
【発明の効果】
【００１０】
本発明の揮散剤容器によれば、特定の揮散剤の臭いが目立たないようにすることができる。
【図面の簡単な説明】
【００１１】
【図１】実施形態に係る揮散剤容器の構成を示す縦断面図である。
【図２】実施形態に係る揮散剤容器の収容部材を示す平面図である。
【図３】揮散剤容器を製造する方法を示す図である。
【図４】実施形態の一変形例に係る揮散剤容器の構成を示す縦断面図である。
【図５】実施形態の一変形例に係る揮散剤容器の収容部材を示す平面図である。
【発明を実施するための形態】
【００１２】
＜揮散剤容器の概要＞
図１を参照しながら、本発明の一実施形態に係る揮散剤容器１０の概要について説明する。図１は、揮散剤容器１０を示す縦断面図である。図１は、後述する図２に示される切断線Ａ−Ａに沿って揮散剤容器１０を切断した場合の断面図を示している。
【００１３】
揮散剤容器１０は、容器本体２０、通気性部材３０、収容部材４０、及び内フタ５０を備える。容器本体２０は、第１揮散剤１１を収容する。収容部材４０は、第１揮散剤１１とは異なる第２揮散剤１２を、第１揮散剤１１から離して収容する。
【００１４】
収容部材４０は、第１揮散剤１１よりも上方において第２揮散剤１２を収容する。このため、消費者が内フタ５０を取り除いて第１揮散剤１１及び第２揮散剤１２を外気に通気させた時、第２揮散剤１２から消費者までの距離の方が、第１揮散剤１１から消費者までの距離よりも小さい。従って、第１揮散剤１１が刺激臭などの消費者に不快感を与え得る臭いを有する場合であっても、消費者に第２揮散剤１２の芳香を知覚させることにより、第１揮散剤１１の臭いが消費者に対して目立たないようにすることができる。また、第１揮散剤１１と第２揮散剤１２とを別個に揮散剤容器１０に収容することにより、第１揮散剤１１と第２揮散剤１２との相互作用によって第１揮散剤１１の作用及び第２揮散剤１２の作用が消失してしまうことを抑制することができる。
【００１５】
＜揮散剤容器の構成＞
以下、揮散剤容器１０の各構成要素について詳細に説明する。
【００１６】
容器本体２０は、第１体積を有する第１揮散剤１１を収容する容器である。容器本体２０は、胴部２１、首部２２及びフランジ部２３を含む。胴部２１は、下部が閉鎖された円筒状の部材であり、胴部２１の上部には開口部が形成されている。首部２２は、胴部２１の開口部を囲うように胴部２１から上方に延びる円筒状の部材である。フランジ部２３は、首部２２の上端から水平方向に広がる環状の部材である。首部２２の外面には、ねじ山２４が形成されている。
【００１７】
通気性部材３０は、例えばキャップであり、天面３１及び側面３３を含む。天面３１は、容器本体２０に収容された第１揮散剤１１の上面よりも上方に配置されている。天面３１には、通気性部材３０に通気性を付与するよう、天面３１を貫通する複数の通気孔３２が形成されている。このため、第１揮散剤１１から揮散した第１揮散成分は、通気孔３２を通って揮散剤容器１０の外部へ拡散することができる。側面３３は、天面３１の外縁から下方に延びており、容器本体２０の首部２２の外面に重なる内面を有する。側面３３の内面には、容器本体２０のねじ山２４に螺合するねじ山３４が形成されている。
【００１８】
収容部材４０は、上下方向において容器本体２０に収容された第１揮散剤１１の上面と通気性部材３０の天面３１との間に配置されている。以下、図１及び図２を参照しながら、収容部材４０の構成について説明する。図２は、収容部材４０を上方から見た場合を示す平面図である。収容部材４０は、収容部４１、フランジ部４４、支持部４５、及び通気部４６を含む。
【００１９】
収容部４１は、底部４２及び壁部４３を含む。壁部４３は、底部４２から上方に延びている。収容部４１は、壁部４３によって囲まれた空間において、第２体積を有する第２揮散剤１２を収容する。
【００２０】
図２に示すように、収容部４１は、平面視における収容部材４０の中心に位置している。収容部４１の外側には、水平方向に広がる環状のフランジ部４４が形成されており、収容部４１とフランジ部４４とは、水平方向に延びる複数の支持部４５によって連結されている。
【００２１】
通気部４６は、収容部材４０を上下方向に貫通する開口部である。通気部４６は、平面視において収容部４１の周囲に位置する。第１揮散剤１１から揮散した第１揮散成分は、まず収容部材４０の通気部４６を通り、続いて通気性部材３０の通気孔３２を通って、揮散剤容器１０の外部へ拡散する。平面視において、通気部４６の面積は、収容部４１の面積よりも大きい。
【００２２】
内フタ５０は、通気性部材３０の天面３１と収容部材４０との間に配置された円盤状の部材である。内フタ５０が揮散剤容器１０の外気から第１揮散剤１１および第２揮散剤１２を遮蔽することにより、第１揮散剤１１から揮散した第１揮散成分、及び第２揮散剤１２から揮散した第２揮散成分が、揮散剤容器１０の外部に至ることを抑制できる。これによって、未使用の揮散剤容器１０において第１揮散剤１１及び第２揮散剤１２が揮散してしまうことを抑制できる。揮散剤容器１０の使用時には、内フタ５０を取り除いて第１揮散剤１１及び第２揮散剤１２を外気に通気させる。
【００２３】
＜第１揮散剤及び第２揮散剤＞
以下、容器本体２０に収容される第１揮散剤１１、及び収容部材４０に収容される第２揮散剤１２について説明する。
【００２４】
第１揮散剤１１は、揮散剤容器１０の主要な作用を実現するための薬剤などであり、第２揮散剤１２は、第１揮散剤１１とは異なる薬剤などである。例えば、揮散剤容器１０が除菌作用を消費者に提供する商品である場合、第１揮散剤１１は、除菌作用をもたらす除菌剤であり、第２揮散剤１２は、第１揮散剤１１が消費者にもたらす悪影響を緩和するための薬剤などである。具体例を挙げると、第１揮散剤１１が、塩素又は塩素化合物を含む除菌剤である場合、第２揮散剤１２は、第１揮散剤よりも低い塩素濃度を有する薬剤などであり、例えば芳香剤である。揮散剤容器１０は、第２揮散剤１２の芳香を消費者に知覚させることにより、第１揮散剤１１の除菌剤の臭いが消費者に対して目立たないようにすることができる。なお「除菌」とは、増殖可能な菌を有効数減少させることである。
【００２５】
第１揮散剤１１が、塩素又は塩素化合物を含む除菌剤である場合、第１揮散剤１１は、例えば、二酸化塩素又は次亜塩素酸を含む。第１揮散剤１１は、二酸化塩素及び次亜塩素酸の両方を含んでいてもよい。二酸化塩素は、ブドウ球菌などの菌を不活性化する作用を有しており、除菌剤の分野において近年注目されている塩素化合物である。第１揮散剤１１は、必要に応じて、二酸化塩素、次亜塩素酸などの塩素化合物を安定化させる安定剤を含む。
【００２６】
第２揮散剤１２が芳香剤である場合、第２揮散剤１２は、香料を含む。香料の例としては、じゃ香、竜延香、アビエス油、アルモンド油、ページル油、パーチ油、カヤブチ油、シトロネラ油、ユーカリ油、フェンネル油、ガーリック油、ジンジャー油、グレープフルーツ油、レモン油、レモングラス油、ナツメッグ油、ハッカ油、オレンジ油、テレピン油、セイジ油などの天然香料、ピネン、リモネン、リナロール、ゲラニオール、シトロネラール、ボルネオール、ベンジルアルコール、アニスアルコール、アネトール、オイゲノール、アルデヒド、シトラール、シトロネラール、ワニリン、カルボン、ケトン、メントン、アセトフェノン、クマリン、シネオール、エチルアセテート、オクチルアセテート、プロピオン酸ブチル、イソ酪酸イソプロピル、カプロン酸アリル、安息香酸エチル、桂皮酸メチル、サリチル酸メチルなどの人造香料を挙げることができる。
【００２７】
第１揮散剤１１は、ゲル状態、液体状態、粉末状態など、第１揮散剤１１の揮発を生じさせ易い形態で容器本体２０に収容されている。第２揮散剤１２も、第１揮散剤１１と同様に、ゲル状態、液体状態、粉末状態など、第２揮散剤１２の揮発を生じさせ易い形態で収容部材４０に収容されている。
【００２８】
ところで、人の嗅覚は、周囲の臭いに慣れるという特性を有する。このため、第１揮散剤１１が消費者に不快感を与え得る臭いを有する場合であっても、消費者が不快感を抱くのは、主に、内フタ５０を取り除いて第１揮散剤１１を外気に通気させた直後である。従って、第２揮散剤１２が芳香を消費者に知覚させるという機能は、消費者が内フタ５０を取り除くときに生じればよく、その後に継続して生じる必要は必ずしもない。このような背景のもと、本実施の形態による揮散剤容器１０において、収容部材４０に収容される第２揮散剤１２の第２体積は、容器本体２０に収容される第１揮散剤１１の第１体積よりも小さい。このようにすることにより、揮散剤容器１０がより多くの第１揮散剤１１を収容しながら、第１揮散剤１１の除菌剤の臭いが消費者に対して目立たないようにすることができる。
【００２９】
＜揮散剤容器の製造方法＞
以下、図３を参照しながら、揮散剤容器１０の製造方法について説明する。図３は、揮散剤容器１０を製造する方法を示す図である。
【００３０】
まず、図３（ａ）に示すように、容器本体２０を準備する。例えば、ポリエチレン、ポリプロピレンなどの樹脂材料をブロー成型して、容器本体２０を得る。続いて、図３（ｂ）に示すように、容器本体２０に第１揮散剤１１を充填する。例えば、溶融状態の第１揮散剤１１を容器本体２０に注入し、続いて第１揮散剤１１を冷却して第１揮散剤１１をゲル状態に固める。このようにして、第１揮散剤１１が収容された容器本体２０を得る。
【００３１】
また、図３（ｃ）に示すように、収容部４１に第２揮散剤１２が収容された収容部材４０を準備する。続いて、収容部材４０のフランジ部４４を、容器本体２０のフランジ部２３上に載置する。
【００３２】
続いて、図３（ｄ）に示すように、天面３１の下面に内フタ５０が取り付けられた通気性部材３０を準備し、通気性部材３０を収容部材４０の上に載置する。続いて、容器本体２０のねじ山２４と通気性部材３０のねじ山３４とが螺合するように通気性部材３０を回転させて、通気性部材３０を容器本体２０に固定する。このようにして、第１揮散剤１１及び第２揮散剤１２が収容された揮散剤容器１０を製造することができる。
【００３３】
消費者は、揮散剤容器１０を使用する際、まず、通気性部材３０を回転させて通気性部材３０を容器本体２０から取り外す。続いて、通気性部材３０から内フタ５０を取り除き、その後、通気性部材３０を再び容器本体２０に固定する。内フタ５０を取り除くことにより、第１揮散剤１１から揮散した第１揮散成分及び第２揮散剤１２から揮散した第２揮散成分が、通気性部材３０の通気孔３２を通って揮散剤容器１０の外部へ拡散することができる。
【００３４】
＜本実施形態における効果＞
本実施の形態によれば、揮散剤容器１０は、第１揮散剤１１よりも上方で第２揮散剤１２を収容する収容部材４０を備える。この場合、消費者が内フタ５０を取り除いて第１揮散剤１１及び第２揮散剤１２を外気に通気させた時、第２揮散剤１２から消費者までの距離の方が、第１揮散剤１１から消費者までの距離よりも小さい。従って、第１揮散剤１１が消費者に不快感を与え得る臭いを有する場合であっても、消費者に第２揮散剤１２の芳香を知覚させることにより、第１揮散剤１１の臭いが消費者に対して目立たないようにすることができる。また、第１揮散剤１１と第２揮散剤１２とを別個に揮散剤容器１０に収容することにより、第１揮散剤１１と第２揮散剤１２との相互作用によって第１揮散剤１１の作用及び第２揮散剤１２の作用が消失してしまうことを抑制することができる。
【００３５】
また、本実施の形態によれば、収容部材４０の収容部４１は、平面視における収容部材４０の中心に位置している。このため、第２揮散剤１２からの第２揮散成分は、揮散剤容器１０の周囲に均一に揮散することができる。これによって、特定の位置及び方向において第２揮散剤１２の芳香が弱まることを抑制することができる。
【００３６】
＜収容部材の構成の変形例＞
上述の説明においては、収容部材４０の収容部４１が、平面視における収容部材４０の中心に位置する例を示した。しかしながら、収容部４１が第１揮散剤１１よりも上方で第２揮散剤１２を収容する限りにおいて、収容部材４０の具体的な構成が限られることはない。
【００３７】
図４は、本発明の実施形態の一変形例に係る揮散剤容器１０の構成を示す縦断面図である。また、図５は、図４に示す揮散剤容器１０の収容部材４０を示す平面図である。図４は、図５に示される切断線Ｂ−Ｂに沿って揮散剤容器１０を切断した場合の断面図を示している。
【００３８】
収容部材４０の収容部４１は、平面視における収容部材４０の外縁に沿って延びる細長形状を有していてもよい。この場合、収容部材４０は、例えば、収容部材４０の外縁に沿って弧状に延びる底部４２と、底部４２の外縁から上方に延びる壁部４３と、を含む。収容部４１は、壁部４３によって囲まれた空間において、第２揮散剤１２を収容する。平面視における収容部材４０の中心には、通気部４６が位置している。
【００３９】
収容部材４０は、図５に示すように、収容部材４０の外縁に沿って配置された複数の収容部４１を含んでいてもよい。図５においては、収容部材４０が２つの収容部４１を有する場合の例が示されている。複数の収容部４１の間には、通気部４６が形成されていてもよい。図示はしないが、収容部材４０は、収容部材４０の外縁に沿って一周にわたって延びる収容部４１を含んでいてもよい。
【００４０】
収容部４１が収容部材４０の外縁に沿って延びる細長形状を有することにより、揮散剤容器１０の側方に位置する消費者に第２揮散剤１２の芳香を効果的に知覚させることができる。
【００４１】
＜第１揮散剤及び第２揮散剤の変形例＞
上述の説明においては、容器本体２０に収容された第１揮散剤１１が、塩素又は塩素化合物を含む除菌剤であり、収容部材４０に収容された第２揮散剤１２が、香料を含む芳香剤である例を示した。しかしながら、第１揮散剤１１と第２揮散剤１２とが互いに異なる限りにおいて、第１揮散剤１１及び第２揮散剤１２を構成する薬剤などの種類が限られることはない。
【００４２】
また、第１揮散剤１１が揮散剤容器１０の周囲の空間にもたらす作用と、第２揮散剤１２が揮散剤容器１０の周囲にもたらす作用とが同一であってもよい。例えば、第１揮散剤１１及び第２揮散剤１２のいずれもが、除菌作用、消臭作用、殺虫作用、芳香作用などを有していてもよい。
【００４３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４４】
１０  揮散剤容器
１１  第１揮散剤
１２  第２揮散剤
２０  容器本体
２１  胴部
２２  首部
２３  フランジ部
２４  ねじ山
３０  通気性部材
３１  天面
３２  通気孔
３３  側面
３４  ねじ山
４０  収容部材
４１  収容部
４２  底部
４３  壁部
４４  フランジ部
４５  支持部
４６  通気部
５０  内フタ
【図１】
0006603537.tif 000002
【図２】
0006603537.tif 000003
【図３】
0006603537.tif 000004
【図４】
0006603537.tif 000005
【図５】
0006603537.tif 000006